(57)【特許請求の範囲】
【請求項１】
下部側に開口部を備えたユニット本体と、
このユニット本体内の上壁面の両側部にそれぞれ離間対向して設けられ、上記ユニット本体から垂下する片部と、この片部の下端縁に水平に折曲される片部からなる一対の熱交換器固定板および、上記ユニット本体から垂下される板体であり、その内方側端縁は略ハの字状に折曲される折曲片部を有する一対の熱交換器支持板と、
側面視でハの字状に傾斜して対向配置され、その両側部が端板固定板によって連結され一体化されて上記熱交換器支持板の折曲片部に当接されるとともに、上記端板固定板が上記熱交換器固定板に固定手段を介して取付固定される一対の室内熱交換器と、
上記熱交換器支持板にそれぞれ設けられるモータ受け部と、
上記室内熱交換器の傾斜上部に対向して設けられ、上記ユニット本体の上面壁に固定手段を介して取付け固定される一対のファンケーシングと、
各ファンケーシング内に配置される、一対の室内送風機をそれぞれ構成する横流ファンと、
これら横流ファンの一端軸部を枢支する軸受けおよび、上記モータ受け部に固定手段を介して取付け固定され横流ファンの他端軸部に連結されるファンモータを挟持支持するモータカバーとを具備し、
一対の室内送風機のファンモータと軸受けの位置が、互いに反対側になるよう配置され、かつ上記各構成部品を締結固定する上記固定手段の締結方向を、ユニット本体の開口部の方向と一致させたことを特徴とする空気調和機。
【請求項２】
下部側に開口部を備えたユニット本体と、
このユニット本体内の上壁面の両側部にそれぞれ離間対向して設けられ、上記ユニット本体から垂下する片部と、この片部の下端縁に水平に折曲される片部からなる一対の熱交換器固定板および、上記ユニット本体から垂下される板体であり、その内方側端縁は略ハの字状に折曲される折曲片部を有する一対の熱交換器支持板と、
側面視でハの字状に傾斜して対向配置され、その両側部が端板固定板によって連結され一体化されて上記熱交換器支持板の折曲片部に当接されるとともに、上記端板固定板が上記熱交換器固定板に固定手段を介して取付固定される一対の室内熱交換器と、
上記各熱交換器支持板の外面側に、下端縁から中途部まで切欠部が設けられ、この切欠部の上端縁に半円状をなすフランジ部が形成されるモータ受け部と、
このモータ受け部のフランジ部に対向して半円状に形成されるフランジ部を備え、モータ受け部に固定手段を介して取付け固定されるモータカバーと、
上記室内熱交換器の傾斜上部にそれぞれ対向して設けられ、上記ユニット本体に固定手段を介して取付け固定される一対のファンケーシングと、
上記モータ受け部と上記モータカバーの各フランジ部により挟持される、一対の室内送風機を構成するファンモータと、
このファンモータに連結され、上記ファンケーシング内に配置されるとともに、その一端軸部がこのファンケーシングに取着される軸受けに枢支され、他端ボス部が上記ファンモータのブラケット部に嵌挿された横流ファンとを具備し、
一対の室内送風機のファンモータと軸受けの位置が、互いに反対側になるよう配置され、かつ上記各構成部品を締結固定する上記固定手段の締結方向を、ユニット本体の開口部の方向と一致させたことを特徴とする空気調和機。
【請求項３】
上記一対の室内熱交換器は、上記端板固定板が上記熱交換器固定板から固定手段の締結を解除された際に、ユニット本体に吊持されて保持される保持装置を備えたことを特徴とする請求項１および請求項２のいずれかに記載の空気調和機。
【請求項４】
下部側に開口部を備えたユニット本体と、
このユニット本体内の上壁面の両側部にそれぞれ離間対向して設けられ、上記ユニット本体から垂下する片部と、この片部の下端縁に水平に折曲される片部からなる一対の熱交換器固定板および、上記ユニット本体から垂下される板体であり、その内方側端縁は略ハの字状に折曲される折曲片部を有する一対の熱交換器支持板と、
側面視でハの字状に傾斜して対向配置し、その両側部が端板固定板によって連結され互いに一体化されて上記熱交換器支持板の折曲片部に当接されるとともに、上記端板固定板を上記熱交換器固定板に固定手段を介して取付固定される一対の室内熱交換器と、
上記各熱交換器支持板の外面側に、下端縁から中途部まで切欠部が設けられ、この切欠部の上端縁に半円状をなすフランジ部が形成されるモータ受け部と、
このモータ受け部のフランジ部に対向して半円状に形成されるフランジ部を備え、モータ受け部に固定手段を介して取付け固定されるモータカバーと、
上記室内熱交換器の傾斜上部にそれぞれ対向して設けられ、上記ユニット本体に固定手段を介して取付け固定される一対のファンケーシングと、
上記モータ受け部と上記モータカバーの各フランジ部により挟持されるファンモータと、
上記各ファンケーシング内に配置され、内側に一端軸部がこのファンケーシングに取着される軸受けに枢支され、他端ボス部が上記ファンモータのブラケット部に嵌挿された横流ファンとより構成し、このファンモータと上記軸受けの位置が互いに反対側に設けられた一対の室内送風機と、
ユニット本体の開口部から取外し可能に装着された電気部品箱と、
ユニット本体の隅部に形成されたドレンポンプ取付けベースと、
このドレンポンプ取付けベースに開口部より取外し可能に装着され、周囲に磁気音低減板が並設され、もしくは囲繞されるドレンポンプとを具備することを特徴とする空気調和機。
【発明の詳細な説明】
【０００１】
【発明の属する技術分野】
本発明は、たとえば天井埋込型の空気調和機に係り、特に各構成部品の組立構造の改良に関する。
【０００２】
【従来の技術】
近時、室内の大型リビング傾向に対処して、２方向吹出しによって室内の良好な温度分布を確保するようにした空気調和機が知られている。
この種の空気調和機は、天井に取付けられる室内ユニットに、２つの室内熱交換器が設けられ、これら室内熱交換器にそれぞれ対向して２つの室内送風機が配置される。
【０００３】
各室内送風機は、ユニット本体に設けられる１つの吸込口から被空調室内の空気をユニット本体内に取込んだ上で、それぞれ対向する室内熱交換器を導通させ、この吹出側にそれぞれ設けられる吹出口から被空調室へ吹出し案内するように構成されている。
【０００４】
【発明が解決しようとする課題】
ところで、この種の空気調和機においても、必要に応じて構成部品の保守点検や交換などの、メンテナンス作業を行わなくてはならない。この場合、室内ユニットの据付場所が天井であるので、その場で保守点検作業を行うには無理な姿勢をとらなければならず、非常に疲れる作業となる。したがって、その場で作業を行うのではなく、必要な部品を一旦取外して床面に置き、ここで保守点検作業できれば、作業性の点から非常に有利である。
【０００５】
ところが、従来の室内ユニットでは、本体内に収容配置される全ての構成部品を据付けたまま取外すことができない。ある程度の部品はそのままユニット本体内に残り、その部品が必要な場合はユニット本体ごと天井から下ろして作業を行うという不具合があった。
【０００６】
また、作業性にも問題があって、たとえば室内送風機は軸方向に長い横流ファンが用いられるのが普通であるが、ユニット本体に対する固定具を取外した状態で、手で保持しないと落下するような構成では、かえって作業がし難い。
すなわち、このような室内送風機では、固定具を取外しても、自然的に仮保持できる構成であれば、作業性の点でより良いことになる。
【０００７】
本発明は、上記事情に鑑みなされたものであり、その目的とするところは、ユニット本体内に配置される構成部品の、本体への締結方向を設定して、作業性の向上を図れる空気調和機を提供しようとするものである。
【０００８】
さらに本発明の目的とするところは、一対の室内送風機の配置構造を設定することにより、それぞれを構成するファンモータは同一回転方向でよく、部品点数の削減を得られる空気調和機を提供しようとするものである。
【０００９】
さらに本発明の目的とするところは、ドレンポンプの運転中に発生する磁気音を低減して、ユニット本体や室内熱交換器の磁化を防止する空気調和機を提供しようとするものである。
【００１０】
【課題を解決するための手段】
請求項１の発明の空気調和機は、下部側に開口部を備えたユニット本体と、このユニット本体内の上壁面の両側部にそれぞれ離間対向して設けられ、ユニット本体から垂下する片部とこの片部の下端縁に水平に折曲される片部からなる一対の熱交換器固定板およびユニット本体から垂下される板体であり内方側端縁は略ハの字状に折曲される折曲片部を有する一対の熱交換器支持板と、側面視でハの字状に傾斜して対向配置され両側部が端板固定板によって連結され一体化されて熱交換器支持板の折曲片部に当接されるとともに端板固定板が熱交換器固定板に固定手段を介して取付固定される一対の室内熱交換器と、熱交換器支持板にそれぞれ設けられるモータ受け部と、室内熱交換器の傾斜上部に対向して設けられユニット本体の上面壁に固定手段を介して取付け固定される一対のファンケーシングと、各ファンケーシング内に配置される一対の室内送風機をそれぞれ構成する横流ファンと、これら横流ファンの一端軸部を枢支する軸受けおよびモータ受け部に固定手段を介して取付け固定され横流ファンの他端軸部に連結されるファンモータを挟持支持するモータカバーとを具備し、一対の室内送風機のファンモータと軸受けの位置が互いに反対側になるよう配置され、かつ各構成部品を締結固定する固定手段の締結方向をユニット本体の開口部の方向と一致させたことを特徴とする。
【００１１】
請求項２の発明の空気調和機は、下部側に開口部を備えたユニット本体と、このユニット本体内の上壁面の両側部にそれぞれ離間対向して設けられユニット本体から垂下する片部とこの片部の下端縁に水平に折曲される片部からなる一対の熱交換器固定板およびユニット本体から垂下される板体であり内方側端縁は略ハの字状に折曲される折曲片部を有する一対の熱交換器支持板と、側面視でハの字状に傾斜して対向配置され両側部が端板固定板によって連結され一体化されて上記熱交換器支持板の折曲片部に当接されるとともに端板固定板が熱交換器固定板に固定手段を介して取付固定される一対の室内熱交換器と、各熱交換器支持板の外面側に下端縁から中途部まで切欠部が設けられこの切欠部の上端縁に半円状をなすフランジ部が形成されるモータ受け部と、このモータ受け部のフランジ部に対向して半円状に形成されるフランジ部を備えモータ受け部に固定手段を介して取付け固定されるモータカバーと、室内熱交換器の傾斜上部にそれぞれ対向して設けられユニット本体に固定手段を介して取付け固定される一対のファンケーシングと、モータ受け部とモータカバーの各フランジ部により挟持される一対の室内送風機を構成するファンモータと、このファンモータに連結されファンケーシング内に配置されるとともに、その一端軸部がこのファンケーシングに取着される軸受けに枢支され、他端ボス部が上記ファンモータのブラケット部に嵌挿された横流ファンとを具備し、一対の室内送風機のファンモータと軸受けの位置が互いに反対側になるよう配置されかつ各構成部品を締結固定する固定手段の締結方向をユニット本体の開口部の方向と一致させたことを特徴とする。
【００１２】
請求項３として、請求項１および請求項２のいずれかに記載の空気調和機において一対の室内熱交換器は、端板固定板が熱交換器固定板から固定手段の締結を解除された際に、ユニット本体に吊持されて保持される保持装置を備えたことを特徴とする。
【００１３】
請求項４の発明の空気調和機は、下部側に開口部を備えたユニット本体と、このユニット本体内の上壁面の両側部にそれぞれ離間対向して設けられユニット本体から垂下する片部とこの片部の下端縁に水平に折曲される片部からなる一対の熱交換器固定板およびユニット本体から垂下される板体でありその内方側端縁は略ハの字状に折曲される折曲片部を有する一対の熱交換器支持板と、側面視でハの字状に傾斜して対向配置しその両側部が端板固定板によって連結され互いに一体化されて熱交換器支持板の折曲片部に当接されるとともに端板固定板を熱交換器固定板に固定手段を介して取付固定される一対の室内熱交換器と、各熱交換器支持板の外面側に下端縁から中途部まで切欠部が設けられこの切欠部の上端縁に半円状をなすフランジ部が形成されるモータ受け部と、このモータ受け部のフランジ部に対向して半円状に形成されるフランジ部を備えモータ受け部に固定手段を介して取付け固定されるモータカバーと、室内熱交換器の傾斜上部にそれぞれ対向して設けられユニット本体に固定手段を介して取付け固定される一対のファンケーシングと、モータ受け部と上記モータカバーの各フランジ部により挟持されるファンモータと、各ファンケーシング内に配置され内側に一端軸部がこのファンケーシングに取着される軸受けに枢支され、他端ボス部がファンモータのブラケット部に嵌挿された横流ファンとより構成し、このファンモータと軸受けの位置が互いに反対側に設けられた一対の室内送風機と、ユニット本体の開口部から取外し可能に装着された電気部品箱と、ユニット本体の隅部に形成されたドレンポンプ取付けベースと、このドレンポンプ取付けベースに開口部より取外し可能に装着され、周囲に磁気音低減板が並設され、もしくは囲繞されるドレンポンプとを具備することを特徴とする。
【００１４】
このような課題を解決する手段を採用することにより、空気調和機本体内に収容配置される構成部品の、本体への締結方向および構成部品相互の締結方向を設定して作業性の向上を図れ、一対の室内送風機の配置構造を設定することによりそれぞれを構成するファンモータは同一回転方向でよく部品点数の削減を得られ、ドレンポンプの運転中に発生する磁気音を低減してユニット本体や室内熱交換器の磁化を防止する。
【００１５】
【発明の実施の形態】
以下、本発明の一実施の形態を、図面を参照して説明する。
【００１６】
図１に示すような、空気調和機の室内ユニットの外観構成となっている。
図中１は空気調和機本体であるユニット本体であり、吊持具２を介して垂設される。この下面側は開口部となっていて、天井パネル部３により開閉自在に閉塞される。
【００１７】
天井パネル部３は、ここでは図示しない天井と同一面をなし、被空調室Ｒ内に露出する。すなわち、ユニット本体１は天井内に埋込状態で取付けられる。
天井パネル部３の両側部を除く中央に吸込口４が設けられ、両側に、互いに異なる方向へ向けられる吹出口５ａ，５ｂが設けられる。
【００１８】
ユニット本体１の一側部には、中途部から２方向に分岐される冷媒管Ｐが接続され、この近傍にはドレン管６が接続される。この近傍には、端子板をカバーするコネクタカバー７が設けられる。
【００１９】
図２に示すように、天井パネル部３において、ここでは吸込口を備えた図示しない吸込グリルが取外し自在となっている。この状態で、ユニット本体１の開口部８を介して内部に収容配置される電気部品箱３２を挿脱自在である。
【００２０】
図３に示すように、室内ユニットの構成部品を分解して示す。図において左側部が、実際には下部、右側部が実際には上部である。以下、実際の取付状態をもとに説明する。
【００２１】
図において右側部に示す上記ユニット本体１は、下部側に開口部８を備えている。その右側壁は別位置に示し、内部状態を露出して示す。
ユニット本体１内面側で、かつ上面壁には、熱交換器固定板１８、熱交換器支持板１９、モータ受け部２０、ドレンポンプ取付けベース２１、ケーシング固定ねじ受け２２等が設けられる。なお、これら部品のみ、ユニット本体１に対して、たとえば溶接手段など、直接取付固定しても支障がない。
【００２２】
上記熱交換器固定板１８と熱交換器支持板１９は、ユニット本体１の両側部に、一対離間対向して設けられる。熱交換器固定板１８は、ユニット本体１から垂下する片部と、この片部の下端縁に水平に折曲される片部からなる。熱交換器支持板１９は、ユニット本体１から垂下される板体であり、その内方側端縁は略ハの字状に折曲される折曲片部を有する。
【００２３】
上記モータ受け部２０は、それぞれの熱交換器支持板１９の外面側に、たとえばスポット溶接などの手段で一体に固着される。上記ドレンポンプ取付けベース２１は、ユニット本体１の一側部にのみ設けられ、ケーシング固定ねじ受け２２は、ユニット本体１の略中央部に幅方向に離間して一対設けられる。
【００２４】
上記ドレンポンプ取付けベース２１には、ドレンポンプ２３が取付固定される。このドレンポンプ２３をドレンポンプ取付けベース２１に取付固定するための固定手段である固定ねじは、その締結方向が、ユニット本体１の開口部８の方向と一致するよう設定される。
【００２５】
上記ケーシング固定ねじ受け２２には、固定手段である固定ねじ２５ａを介してファンケーシング２４が取付け固定される。このねじ２５ａの締結方向もユニット本体１の開口部８と一致するよう設定される。
【００２６】
上記ファンケーシング２４内に、室内送風機１４ａ，１４ｂを構成する横流ファン２６が配置され、この一端軸部がケーシング２４に取着されるゴム軸受け２７に枢支され、他端ボス部がファンモータ２８のブラケット部２８ａに嵌挿される。
【００２７】
互いの室内送風機１４ａ，１４ｂにおいて、ファンモータ２８とゴム軸受け２７の位置は、互いに反対側に設けられる。
これはファンモータ２８を同一側に設けた場合、ファンモータ２８の互いの回転方向を逆にしなければならず、２種類のファンモータを用意することになり、構成部品が増えてしまうからである。
【００２８】
各ファンモータ２８は、熱交換器支持板１９に一体に設けられる上記モータ受け部２０と、後述するモータカバー２９とで挟持され、支持される。
このファンモータ２８の取付構造は、図４および図５に詳しい。
【００２９】
上記モータ受け部２０には、下端縁から中途部まで切欠部９が設けられており、この切欠部９の上端縁に、上半分の半円状をなすフランジ部２０ａが設けられる。上記モータカバー２９には、下半分の半円状をなすフランジ部２９ａが設けられる。それぞれのフランジ部２０ａ，２９ａは、ファンモータ２８の両側面に突出するブラケット部２８ａと同一の曲率半径を有する。
【００３０】
モータカバー２９はモータ受け部２０に、固定手段である固定ねじ２５ｂにより取付固定されていて、この固定ねじの締結方向は、ユニット本体１の開口部８の方向と一致するよう設定される。
【００３１】
そして、モータ受け部２０にモータカバー２９を取付固定した状態で、互いのフランジ部２０ａ，２９ａが当接して円形状をなし、これら相互でファンモータ２８のブラケット部２８ａを両側から挟持して、ファンモータ２８の固定支持をなしている。
【００３２】
上記モータ受け部２０の切欠部９下端には、側方に突出する突起部２０ｂが一体に設けられる。上記モータカバー２９をモータ受け部２０から取外した状態で、ファンモータ２８のブラケット部２８ａをモータ受け部２０に挿脱するときは上記突起部２０ｂを避け、この分だけ位置をずらせながら行う。
【００３３】
ただし、ファンモータ２８の切欠部９における自然落下的な動作では、この下端においてブラケット部２８ａが突起部２０ｂに掛止して、ファンモータ２８を引き抜く強制力を付与しない限り、その位置を止まる。
すなわち、送風機１４ａ，１４ｂの固定手段を除去した状態での、これらの自然落下を突起部２０ｂで防止でき、安全性がよい。
【００３４】
再び図３に示すように、室内送風機１４ａ，１４ｂは、室内熱交換器１３ａ，１３ｂの傾斜上部に沿って配置される。
これら室内熱交換器１３ａ，１３ｂは、側面視でハの字状に傾斜しており、その両側部において端板固定板３０によって連結固定され、互いに一体化された状態にある。
【００３５】
また、これら室内熱交換器１３ａ，１３ｂおよび室内送風機１４ａ，１４ｂに沿うように、ノーズ１５ａ，１５ｂが熱交換器支持板１９に固定ねじを介して固定される。
【００３６】
図４および図６に示すように、室内熱交換器１３ａ，１３ｂ相互を連結固定する端板固定板３０の最頂部には、取付用片部３０ａが設けられていて、先に図３で示した熱交換器固定板１８の水平片部に、固定手段である固定ねじ２５ｃを介して取付固定される。
【００３７】
このようにして、一体化された室内熱交換器１３ａ，１３ｂがユニット本体１に着脱自在に取付固定されるのだが、取付けられた状態で、これらの両側端部の端板１２が上記熱交換器支持板１９の折曲片部に当接する。
すなわち、折曲片部の傾斜と熱交換器１３ａ，１３ｂの傾斜が一致しており、熱交換器支持板１９は熱交換器のユニット本体１幅方向の変位を規制する。
【００３８】
また、上記モータカバー２９の一側端にはフランジ部１０が設けられていて、一方の室内熱交換器１３ｂの一側端に設けられる端板１２に、固定手段である固定ねじ２５ｄを介して取付固定される。この固定ねじ２５ｄの締結方向も、ユニット本体１の開口部８の方向と略一致するよう設定される。
【００３９】
結果として、ユニット本体１に熱交換器支持板１９が一体に取付固定され、この熱交換器支持板１９のモータ受け部２０にモータカバー２９が取付固定され、さらにこのカバーに熱交換器１３ｂの端板１２が取付固定されるので、特に室内熱交換器１３ａ，１３ｂの取付固定にともなう剛性の確保を得られる。
【００４０】
一体化された室内熱交換器１３ａ，１３ｂの一方の端板固定板３０には、ユニット本体１から吊持される紐５５のフックが掛止される。一方、図７に示すように、ユニット本体１の一側壁には、配管用開口部５１が設けられており、ここから各室内熱交換器に接続される冷媒管Ｐが外部に突出する。
【００４１】
上記配管用開口部５１は、あらかじめ大きく形成されており、配管作業が終了した後、ここに配管カバー５２が取着される。すなわち、冷媒管Ｐを配管用開口部５１に挿通した状態で、冷媒管以外の余分な開口部５１は配管カバー５２によって完全に閉成される。
【００４２】
そして、メンテナンス時など、開口部８側から固定ねじ２５ｃを外し、各熱交換器固定板１８から室内熱交換器１３ａ，１３ｂを取外した状態でも、なお熱交換器の一側部は紐５５を介してユニット本体１に吊持される。すなわち、紐５５は保護装置をなす。さらに、配管カバー５２を外しても、室内熱交換器１３ａ，１３ｂの他側部は、ここから延出する冷媒管Ｐが配管用開口部５１下端縁に掛止される。
【００４３】
このように、一体化された室内熱交換器１３ａ，１３ｂに対する固定手段を除去した状態でも、なお熱交換器はユニット本体１に仮保持をなし、一挙に脱落に至らないから、作業性がよい。
【００４４】
再び図３に示すように、これら室内熱交換器１３ａ，１３ｂの下部に、ドレンパン５０が設けられる。このドレンパン５０は、先に説明した天井パネル部３の所定位置に嵌着されており、このパネル部ごとユニット本体１から着脱されることになる。
【００４５】
このドレンパン５０は、室内熱交換器１３ａ，１３ｂから滴下するドレンは勿論のこと、後述するクロスパイプやリターンベンド等からのドレンも捕集するために、中央部が開口する枠状になっており、上記吸込口４および吹出口５ａ，５ｂと対向する部分を有しない。一部には、上記ドレンポンプ２３の吸込部が配置される溜め部５１が設けられる。
【００４６】
このようにして構成される室内ユニットは、吸込口４から、ユニット本体１内を介して各吹出口５ａ，５ｂに至る２系統の通風路が形成される。
なお説明すれば、それぞれの通風路は、被空調室Ｒの熱交換空気を吸込口４から本体１内に取入れて室内熱交換器１３ａ，１３ｂを導通させ、室内送風機１４ａ，１４ｂと吹出口５ａ，５ｂとの間のノーズ１５ａ，１５ｂによって案内し、吹出口５ａ，５ｂから再び被空調室Ｒ内へ吹出案内するものである。
【００４７】
ここでは、一方の吹出口５ａから吹出される熱交換空気は、被空調室Ｒの一部（ゾーンＡ）の方向に向かう。他方の吹出口５ｂから吹出される熱交換空気は、被空調室Ｒの他部（ゾーンＢ）の方向に向かう。
【００４８】
メンテナンスの際など、室内ユニットの構成部品を取外すには、はじめ天井パネル部３を取外し、開口部８を開放して一体化された室内熱交換器１３ａ，１３ｂ、ノーズ１５ａ，１５ｂ、モータカバー２９、室内送風機１４ａ，１４ｂを順次取外す。
【００４９】
また、これら部品を含め、ファンケース２４、電気部品箱３２、ドレンポンプ２３の構成部品全ての取外し方向を、開口部８方向と一致させたので、作業し易い。
取外した構成部品は、床面に下ろし、ここで点検修理作業を行う。したがって、高所にある状態での作業ではないから、作業性がよい。
【００５０】
必要な作業が終了したら、逆の手順で構成部品を組み立て、かつ取付ける。このときの固定ねじの締結方向が開口部８方向と一致することには変わりがなく、作業性がよい。
【００５１】
図８は、このような室内ユニットを備えた空気調和機の冷凍サイクル回路および制御回路の構成である。
圧縮機３３の吐出部が四方弁３４を介して室外熱交換器３５に接続される。この室外熱交換器３５は膨張弁３６を介して２分割された上記室内熱交換器１３ａ，１３ｂに接続される。これら室内熱交換器１３ａ，１３ｂから四方弁３４を介して圧縮機３３の吸込部に接続される。
【００５２】
なお、互いの室内熱交換器１３ａ，１３ｂは、それぞれの中間部がクロスパイプ３７ａ，３７ｂによって連通され、冷媒は、一方の熱交換器の半分の部分を導通したところで、他方の熱交換器を導通するよう設定される。これにより、各熱交換器の温度の平均化を図っている。
それぞれのクロスパイプ３７ａ，３７ｂには、ここを導通する冷媒の温度を熱交換器温度としてとらえる温度センサ３８ａ，３８ｂが設けられる。
【００５３】
冷房運転時には、圧縮機３３から圧縮冷媒が吐出され、図中実線矢印に示す方向に導かれて冷房サイクルが構成される。このとき、室外熱交換器３５が凝縮器、かつ室内熱交換器１３ａ，１３ｂが蒸発器として作用する。
【００５４】
暖房運転時には、圧縮機３３から圧縮冷媒が吐出され、図中破線矢印に示す方向に導かれて暖房サイクルが構成される。このとき、室外熱交換器３５が蒸発器、かつ室内熱交換器１３ａ，１３ｂが凝縮器として作用する。
【００５５】
図中４０は制御部であり、マイクロコンピュータおよびその周辺回路からなる。この制御部４０は、降圧用のトランス４１を介して、商用交流電源４２に接続される。
【００５６】
制御部４０に、上記温度センサ３８ａ，３８ｂ、四方弁３４、室外送風機３５Ａ、インバータ回路４３、タップ切換回路４４ａ，４４ｂ、室内温度センサ４５、およびリモートコントロール式の運転操作器（以下、リモコンと略称する）４６が接続される。
【００５７】
上記インバータ回路４３は、電源４２の電圧を整流し、それを制御部４０の指令に応じた周波数（および電圧）の交流に変換し、出力する。この出力は圧縮機３３のモータの駆動電源となる。
【００５８】
上記タップ切換回路４４ａ，４４ｂは、電源４２から各室内送風機１４ａ，１４ｂのファンモータ１４ａＭ，１４ｂＭにおける各速度タップに対する通電切換を行なう。
【００５９】
上記リモコン４６は、運転条件を設定する機能の他に、上記したゾーンＡおよびゾーンＢのそれぞれの局部制御モードのいずれか一方を選択するためのゾーン選択釦４６ａ，４６ｂを有する。
【００６０】
上記制御部４０は、次の機能手段を備えている。
（１）圧縮機３３の吐出冷媒を四方弁３４、室外熱交換器３５、膨張弁３６、室内熱交換器１３ａ，１３ｂおよび四方弁３４を通して圧縮機３３に戻し、冷房運転を実行する手段。
【００６１】
（２）圧縮機３３の吐出冷媒を四方弁３４、室内熱交換器１３ａ，１３ｂ、膨張弁３６、室外熱交換器３５および四方弁３４を通して圧縮機３３に戻し、暖房運転を実行する手段。
【００６２】
（３）運転時、室内温度センサ４５の検知温度（室内温度）Ｔａとリモコン４６での設定温度Ｔｓとの差に応じてインバータ回路４３の出力周波数（圧縮機の運転周波数）を制御する手段。
【００６３】
（４）リモコン４６のゾーン選択釦４６ａ，４６ｂがいずれも操作されない通常制御モードでは、室内送風機１４ａ，１４ｂの風量をリモコン４６の操作に応じた互いに同じ値（強，弱，微の３段階）に設定する手段。
【００６４】
（５）ゾーン選択釦４６ａ，４６ｂの操作に応じてゾーンＡ，Ｂのそれぞれ局部制御モードのいずれか一方を選択し、それに応じて室内送風機１４ａ，１４ｂの風量比率を変化させる手段。
【００６５】
（６）温度センサ３８ａ，３８ｂの検知温度のうち、いずれか一方の検知温度を運転モードに応じて選択する手段。
（７）選択される検知温度に応じて室内送風機１４ａ，１４ｂの風量を制御する手段。
【００６６】
つぎに、図９のフローチャートとともに、室内送風機１４ａ，１４ｂの風量制御を説明する。
冷暖房いずれの運転中も、温度センサ３８ａ，３８ｂにより室内熱交換器１３ａ，１３ｂの温度が検知され、その検知温度に応じて室内送風機１４ａ，１４ｂの風量が制御される。
【００６７】
すなわち、温度センサ３８ａ，３８ｂの断線検知など、各センサが正常か否かを判定される。各センサ３８ａ，３８ｂが共に正常であれば、検知温度Ｔ１，Ｔ２のいずれか一方が運転モードに応じて選択され、その選択される検知温度に応じた風量制御が実行される。
【００６８】
各センサのどちらかに断線や短絡等の異常があれば、正常な方のセンサの検知温度が選択されて風量制御が実行される。
室内熱交換器１３ａ，１３ｂの温度を検知するこのセンサ３８ａ，３８ｂは、検知温度帯域が０〜６０℃という広範囲をカバーしなければならず、しかも毎回温度測定を行っているため、故障率が高い。
【００６９】
しかしながら、ここでは２個のセンサ３８ａ，３８ｂを用いているため、たとえいずれか一方のセンサが故障することがあっても、他方のセンサが正常である限り、風量制御を滞りなく行える。
【００７０】
以下は、各温度センサ３８ａ，３８ｂが共に正常であることを前提として説明する。
暖房運転モードでは、冷風吹出がなされると不快であるので、これを防止するため、上記検知温度Ｔ１，Ｔ２のいずれか一方が選択され、凝縮器温度Ｔとして取込まれる。
【００７１】
暖房開始時のように、検知温度Ｔ１，Ｔ２が低くて設定温度Ｔ０に達していない状況では、検知温度Ｔ１，Ｔ２のうち低い方が選択され、凝縮器温度Ｔとして取込まれる。
【００７２】
ここで、この凝縮器温度Ｔと冷風吹出防止用の設定温度Ｔｘとが比較されて、ＴがＴｘよりも低ければ、室内送風機１４ａ，１４ｂの速度タップが共に下げられる。
【００７３】
このように検知温度Ｔ１，Ｔ２のうちの低い方を凝縮器温度Ｔとして取込み、その凝縮器温度Ｔが設定値Ｔｘを下回る場合は、各室内送風機１４ａ，１４ｂの風量を共に停止や削減することにより、不快な冷風吹出を確実に防止できる。
【００７４】
ところで暖房運転では、風量の少ない方の室内熱交換器の温度が上昇し、高圧側圧力の上昇を招くことがある。
そこで、検知温度Ｔ１，Ｔ２が設定温度Ｔ０以上に上昇した後で、検知温度Ｔ１，Ｔ２のうちの高い方が選択され、それが凝縮器温度として取込まれる。この凝縮器温度Ｔと高圧側圧力に対する異常上昇防止用の設定値Ｔｒとが比較され、ＴがＴｒよりも高ければ、圧縮機３３の運転周波数（インバータ回路４３の出力周波数）を低減するレリース制御が実行される。
【００７５】
このレリース制御に際しては、室内送風機１４ａ，１４ｂの速度タップが共に上げられて、凝縮器温度Ｔの低減が促進される。すなわち、高圧側圧力の異常上昇を速やかに抑制することができる。
【００７６】
冷房運転では、風量の少ない方の室内熱交換器が温度降下し、その温度降下した室内熱交換器が凍結する虞れがある。
そこで、冷房運転モードでは、室内熱交換器１３ａ，１３ｂの凍結を防止すべく、検知温度Ｔ１，Ｔ２のうちの低い方が選択され、それが蒸発器温度Ｔとして取込まれる。
【００７７】
この蒸発器温度Ｔと凍結防止用の設定値Ｔｚとが比較され、ＴがＴｚよりも低ければ、室内送風機１４ａ，１４ｂの速度タップが共に上げられる。
このように検知温度Ｔ１，Ｔ２のうちの低い方を蒸発器温度Ｔとして取込み、その蒸発器温度Ｔが設定値Ｔｚを下回る場合は、室内送風機１４ａ，１４ｂの風量を増大することにより、室内熱交換器１３ａ，１３ｂの凍結を確実に防止できる。
【００７８】
なお、上記実施例においては、各温度センサ３８ａ，３８ｂのどちらかに異常があれば、正常な方の検知温度を選択して風量制御を実行するようにしたが、これに限定されるものではなく、どちらかに異常があったとき、速度タップを固定にして、各送風機の風量を固定にしてもよい。
【００７９】
上記実施例においては、暖房時の冷風吹出防止制御で、検知温度Ｔ１，Ｔ２のうちの低い方を選択して風量を制御したが、これに限定されるものではなく、各検知温度Ｔ１，Ｔ２と冷風吹出防止用の設定値Ｔｘとを比較し、これら比較結果に応じて各室内送風機１４ａ，１４ｂの風量を個別に制御してもよい。
【００８０】
上記実施例においては、速度タップを切換えることで室内送風機の風量を変化させるようにしたが、これに限定されるものではなく、たとえば室内送風機駆動用のインバータ回路を設け、このインバータ回路の出力周波数を制御することにより、室内送風機の風量を無段階に変化させてもよい。
【００８１】
図１０に、平面視で示すように、ドレンポンプ２３はユニット本体１の隅部に配置されるが、運転にともなってこのモータ部から磁界が発生し、モータ部の近傍にある板金からなる本体や熱交換器が磁化し、大なる磁気音および磁気振動が発生してしまう。磁気音は、  ２ｎｆ  として表される。（ｎ：１，２，３…、ｆ：電源周波数）
このような磁気音の低減をなすために、たとえば図１１（Ａ），（Ｂ）に示す手段を採用するとよい。
図１１（Ａ）のものは、ドレンポンプ２３の両側に磁化材料、たとえば鋼板などからなる磁気音低減板５３ａ，５３ａを並設する。図１１（Ｂ）のものは、ドレンポンプ２３の周囲を同じ磁化材料、たとえば鋼板などからなる磁気音低減板５３ｂで囲繞する。
【００８２】
ドレンポンプ２３の運転中に、このモータ部から発生する磁気音は、それぞれの磁気音低減板５３ａ，５３ｂによって低減される。すなわち、ドレンポンプ２３のモータ部の回転磁界を上記低減板内で減衰させるので、本体や熱交換器が磁化し、大なる磁気音および磁気振動が発生することもない。
ドレンポンプ２３の性能を何ら損なうことがなく、また特別の仕切板は不要で、磁気音の低減を可能とする。
【００８３】
図１１（Ａ）の磁気音低減板５３ａを備えた場合の測定結果を、図１２（Ａ）に示す。条件は、ドライ（除湿）風量で、ドレンポンプ２３を５０Ｈｚ、２００Ｖで空転状態とし、マイクの位置をドレンポンプ２３の下方１０ｃｍの位置に設定した。
従来のアルミニウム板でドレンポンプを仕切ったものと比較して、６．２ｄＢの低減が得られた。
【００８４】
図１１（Ｂ）の磁気音低減板５３ｂを備えた構成の場合の測定結果を、図１２（Ｂ）に示す。条件は、図１１（Ａ）の場合と同一である。
従来のアルミニウム板でドレンポンプを仕切ったものと比較して、１０．７ｄＢの低減が得られた。
【００８５】
上記実施例では、天井面に取付ける、いわゆる天カセタイプの空気調和機に適用して説明したが、これに限定されるものではなく、２つの室内熱交換器を有する壁掛け形にも応用できる。
さらに、本発明の要旨を越えない範囲内で種々の変形実施が可能なことは、勿論である。
【００８６】
【発明の効果】
以上説明したように本発明によれば、空気調和機本体内に収容配置される構成部品の、本体への締結方向および構成部品相互の締結方向を設定して、作業性の向上を図れるとともに、一対の室内送風機の配置構造を設定することにより、それぞれを構成するファンモータは同一回転方向でよく、部品点数の削減を得られる効果を奏する。
【００８７】
さらに本発明によれば、一対の室内送風機の配置構造を設定することにより、それぞれを構成するファンモータは同一回転方向でよく、部品点数の削減を得られる。
【００８８】
さらに本発明によれば、ドレンポンプの運転中に、このモータ部から発生する磁気音を低減して、ユニット本体や室内熱交換器の磁化を防止して、磁気音および磁気振動の発生を阻止する効果を奏する。
【図面の簡単な説明】
【図１】本発明の一実施の形態を示し、天井埋込型空気調和機の室内ユニットの斜視図。
【図２】同実施の形態の、室内ユニットの一部構成部品を取外した状態の斜視図。
【図３】同実施の形態の、室内ユニットの構成部品を分解した斜視図。
【図４】同実施の形態の、室内ユニットの一部の構成部品を取出し分解した斜視図。
【図５】同実施の形態の、室内送風機の取出しを説明する図。
【図６】同実施の形態の、室内ユニットの一部の構成部品を取出し分解した斜視図。
【図７】同実施の形態の、室内ユニットの一部構成部品を取外した状態の斜視図。
【図８】同実施の形態の、冷凍サイクルと制御回路の構成図。
【図９】冷房作用を説明するためのフローチャート図。
【図１０】他の実施の形態の、室内ユニットの底面図。
【図１１】（Ａ）は、ドレンポンプの防音構造を示す平面図。
（Ｂ）は、ドレンポンプのさらに異なる防音構造を示す平面図。
【図１２】（Ａ）は、図１１（Ａ）の防音構造における騒音防止特性を示す図。
（Ｂ）は、図１１（Ａ）の防音構造における騒音防止特性を示す図。
【符号の説明】
８…開口部、
１…空気調和機本体（ユニット本体）、
１９…熱交換器固定板、
１８…熱交換器支持板、
３０…端板固定板、
１３ａ，１３ｂ…室内熱交換器、
２０…モータ受け部、
２４…ファンケーシング、
１４ａ，１４ｂ…室内送風機、
２６…横流ファン、
２７…ゴム軸受け、
２５ａ，２５ｂ…固定手段（固定ねじ）、
２８…ファンモータ、
２９…モータカバー、
２８ａ…ブラケット部、
９…切欠部、
２０ｂ…突起部、
１０…フランジ部、
１２…（室内熱交換器の）端板。
【図１】
0003548714.tif 000002
【図２】
0003548714.tif 000003
【図３】
0003548714.tif 000004
【図４】
0003548714.tif 000005
【図５】
0003548714.tif 000006
【図６】
0003548714.tif 000007
【図７】
0003548714.tif 000008
【図８】
0003548714.tif 000009
【図９】
0003548714.tif 000010
【図１０】
0003548714.tif 000011
【図１１】
0003548714.tif 000012
【図１２】
0003548714.tif 000013